(57)【要約】  【課題】  ハイブリットトランスを用いずに、２ＷＡＹバランス伝送路を介して、音声およびデータの伝送を全二重通信で行う全二重通信装置を提供する。  【解決手段】  本発明に係る全二重通信装置１００，２００は、２ＷＡＹバランス伝送路３００を介して全二重通信を行う全二重通信装置であって、２ＷＡＹバランス伝送路と直接的に信号の授受を行う回路部、例えば、２ＷＡＹバランス伝送部１９およびハイブリッド回路部２０がオペアンプおよび抵抗体を主体としたトランスレス形式に構成されている。したがって、音声と制御信号とに関して２系統のケーブルからなる伝送線路を使用したり、ハイブリットトランスを使用したりすること無しに、全二重通信を行うことができ、低コストで可搬型に構成することができる。  【選択図】  図２
2006262236.tif 000002
【特許請求の範囲】
【請求項１】
２ＷＡＹバランス伝送路を介して全二重通信を行う全二重通信装置であって、
２ＷＡＹバランス伝送路と直接的に信号の授受を行う回路部がオペアンプおよび抵抗体を主体としたトランスレス形式に構成されていることを特徴とする全二重通信装置。
【発明の詳細な説明】
【技術分野】
【０００１】
本発明は、全二重通信装置に関し、特に、２ＷＡＹバランス伝送路を介して全二重通信を行うための全二重通信装置に関する。
【背景技術】
【０００２】
従来において全二重通信、例えば、音声および制御信号の全二重通信を行う際には、音声と制御信号とを２系統のケーブルからなる伝送線路に分割して伝送するのが一般的である。しかし、このような方法では、ケーブルの重量が相当に大きく、敷設が容易ではない。そこで、ハイブリットトランスを用いた全二重通信方式を採用することが試みられた。例えば、下記の文献にハイブリットトランスを用いる技術が開示されている。
【特許文献１】特開平７−３８４７４号公報  （第２〜３頁、第２〜４図）
【発明の開示】
【発明が解決しようとする課題】
【０００３】
上記の従来技術のように、音声と制御信号とを２系統のケーブルからなる伝送線路に分割して伝送する場合、敷設が容易でなく、また、ハイブリットトランスを用いる場合、そのハイブリットトランスが高コストで大型であるという問題がある。
【０００４】
本発明は上述した問題点を解決するためになされたものであり、２系統のケーブルやハイブリットトランスを用いずに、２ＷＡＹバランス伝送路を介して、音声およびデータの伝送を全二重通信で行うことができる低コストで可搬型の全二重通信装置を提供することを目的とする。
【課題を解決するための手段】
【０００５】
上述した課題を解決するため、本発明に係る全二重通信装置は、２ＷＡＹバランス伝送路を介して全二重通信を行う全二重通信装置であって、２ＷＡＹバランス伝送路と直接的に信号の授受を行う回路部がオペアンプおよび抵抗体を主体としたトランスレス形式に構成されている。
【０００６】
このような構成によれば、音声と制御信号とを２系統のケーブルからなる伝送線路およびハイブリットトランスを使用すること無しに、２ＷＡＹバランス伝送路を用い、トランスレス形式の回路部によって全二重通信を行うことができる。
【発明の効果】
【０００７】
以上、詳述したように本発明の全二重通信装置によれば、音声と制御信号とを２系統のケーブルからなる伝送線路を使用したり、ハイブリットトランスを使用したりすること無しに、２ＷＡＹバランス伝送路と、トランスレス形式の回路部とを用いて全二重通信を行うことができることにより、低コストで可搬型の全二重通信装置を提供できる。
【発明を実施するための最良の形態】
【０００８】
以下、本発明の実施の形態について図面を参照しつつ説明する。図１は、本発明の実施の形態である全二重通信装置を２台使用して構築した全二重通信システムを示すブロック図、図２は、図１の全二重通信システムで用いられている第１，第２の全二重通信装置を詳細に示す回路図、図３は、図１および図２で示される第１，第２の全二重通信装置が送受信する音声信号と制御信号とが占有する周波数帯域を説明するための図である。図１または図２で示される全二重通信システムは、第１の全二重通信装置１００と、第２の全二重通信装置２００と、それらを接続する２ＷＡＹバランス伝送路３００とから構成されている。
【０００９】
図１および図２から明らかなように、第１，第２の全二重通信装置１００，２００とは、同じ構造を有しており、それぞれが、音声信号送出部１１（例えば、マイク）と、制御信号送出部１２（例えば、ＤＳＰ）と、制御信号受信部１３（例えば、ＤＳＰ）と、音声信号受信部１４（例えば、スピーカ）と、帯域制限フィルタ１５と、加算部１６（２信号を加算、すなわち、合成する）と、ＡＧＣ回路部１７と、帯域制限フィルタ１８と、２ＷＡＹバランス伝送部１９と、ハイブリッド回路部２０とから構成されている。
【００１０】
例えば、第１の全二重通信装置１００から第２の全二重通信装置２００に向かって音声信号と制御信号とが送信される場合を説明すると、音声信号送出部１１と制御信号送出部１２とから送信される音声信号（帯域制限フィルタ１５により帯域制限を受ける）および制御信号は、加算部１６で合成（加算）される。加算部１６で合成された音声信号および制御信号からなる合成信号は、２ＷＡＹバランス伝送部１９によって、位相を１８０°変えられた反転信号と、位相を変えられない非反転信号とにされ、２ＷＡＹバランス伝送路３００のそれぞれの線路に引き渡される。
【００１１】
他方、第２の全二重通信装置２００においては、２ＷＡＹバランス伝送路３００を介して、反転信号と非反転信号とをハイブリッド回路部２０が受信する。ハイブリッド回路部２０の出力に含まれる制御信号に基づき、制御信号受信部１３は、ＡＧＣ回路部１７のゲインを設定する。帯域制限フィルタ１８は、ＡＧＣ回路部１７のゲイン調整を受けたハイブリッド回路部２０の出力から音声信号を抽出し、音声信号受信部１４に引き渡す。音声信号受信部１４（例えば、スピーカ）は、受け取った音声信号に基づいて音声を出力する。これらのことは、第２の全二重通信装置２００から第１の全二重通信装置１００に向かって音声信号および制御信号を送信する場合も同じである。
【００１２】
上述の場合に、第１の全二重通信装置１００から第２の全二重通信装置２００に向かって送信する第１の場合にも、第２の全二重通信装置２００から第１の全二重通信装置１００に向かって送信する第２の場合にも、図３に示すように、音声信号は、帯域ｆ１〜ｆ２にあるが、制御信号は第１の場合にはｆ１１，ｆ１３，ｆ１５にあり、第２の場合にはｆ１２，ｆ１４にあるように送信方向により周波数の範囲を変えている。なお、この例の全二重通信装置１００，２００においては、図２から明らかなように、伝送路に２ＷＡＹバランス伝送路３００を用いるとともに、２ＷＡＹバランス伝送路３００と直接的に信号の授受を行う回路部１９，２０をオペアンプおよび抵抗体を主体としたトランスレス形式に構成し、従来のように２系統のケーブルからなる伝送線路を用いたり、ハイブリットトランスを用いていないので低コストで実現でき、可搬型に適している。
【図面の簡単な説明】
【００１３】
【図１】本発明の実施の形態である全二重通信装置を２台使用して構築した全二重通信システムを示すブロック図である。
【図２】図１の全二重通信装置を詳細に示す回路図である。
【図３】図１および図２で示される第１，第２の全二重通信装置が送受信する音声信号と制御信号とが占有する周波数帯域を説明するための図である。
【符号の説明】
【００１４】
１１  音声信号送出部、１２  制御信号送出部、１３  制御信号受信部、１４  音声信号受信部、１５，１８  帯域制限フィルタ、１６  加算部、１７  ＡＧＣ回路部、１９  ２ＷＡＹバランス伝送部、２０  ハイブリット回路、１００  第１の全二重通信装置。
【図１】
2006262236.tif 000003
【図２】
2006262236.tif 000004
【図３】
2006262236.tif 000005